(57)【要約】【課題】  安定したポインティング動作が可能で、しかも小型軽量化とコスト低減を図ることができるコードレスのポインティングデバイスを提供する。【解決手段】  コードレスマウスの電源として充電式電池１１を使用し、また、マウス本体１に充電部１６を有するＡＣアダプタ１５を接続可能とし、充電部１６により充電式電池１１を満充電まで充電し、次の使用を可能にした。また、組み込まれる充電式電池１１として１０Ｃ以上の電流で急速充電できるリチウムイオン二次電池が用いられことも特徴としている。【選択図】      図２
2008015693.tif 000002
【特許請求の範囲】
【請求項１】
コンピュータのディスプレイ上でポインタを移動させるための位置情報を出力するとともに、該位置情報を無線信号に変換し前記コンピュータに送信可能にしたポインティングデバイス本体と、
前記ポインティングデバイス本体内部に設けられ、該ポインティングデバイス本体の電源として用いられる１０Ｃ以上の電流で急速充電可能な充電式電池と、
を具備したことを特徴とするコードレスポインティングデバイス。
【請求項２】
さらに充電手段を有し、該充電手段は、前記ポインティングデバイス本体に電気的に接続可能で、該接続状態で前記充電式電池を充電する充電部を有することを特徴とする請求項１記載のコードレスポインティングデバイス。
【請求項３】
前記充電手段は、前記コンピュータの充電に用いられる充電手段を兼ねることを特徴とする請求項２記載のコードレスポインティングデバイス。
【請求項４】
前記コードレスポインティングデバイス本体は、前記充電式電池の電池残量を表示する電池残量表示手段を有することを特徴とする請求項１記載のコードレスポインティングデバイス。
【請求項５】
さらに前記充電式電池の過充電、過放電及び過電流の少なくとも一つを検出し、前記充電式電池の充電又は放電を停止させる監視保護手段を有することを特徴とする請求項１記載のコードレスポインティングデバイス。
【発明の詳細な説明】
【技術分野】
【０００１】
本発明は、パーソナルコンピュータの操作に用いられるコードレスポインティングデバイスに関するものである。
【背景技術】
【０００２】
一般にパーソナルコンピュータは、入力手段としてキーボードが用いられているが、これ以外にポインティングデバイスも無くてはならないものとして用いられている。
【０００３】
ポインティングデバイスには、マウスやトラックボールなどがあり、これらはＵＳＢやＰＳ２などのインターフェイスによりパーソナルコンピュータに接続されている。この場合、一般的なポインティングデバイスは、パーソナルコンピュータとの間をケーブルで繋がれ、パーソナルコンピュータから供給される電源により所定の動作を行うようになっている。
【０００４】
ところが、パーソナルコンピュータとの間をケーブルで繋いだものは、ポインティングデバイスを操作する際に、ケーブルが邪魔になることが多く、ポインティングデバイス自身の動きに制約を与えるなど操作の妨げになることがある。
【０００５】
そこで、最近になってパーソナルコンピュータとの間を接続するケーブルを除去したコードレスのポインティングデバイスが用いられるようになっている。このようなコードレスのポインティングデバイスは、ブルートゥースや独自の無線規格などのインターフェイスによりパーソナルコンピュータとの間の通信を行うもので、ケーブルを全く必要としない。
【０００６】
ところが、ポインティングデバイスをコードレスにすることは、従来ではケーブルを介してパーソナルコンピュータから電源が供給されていたものを、ポインティングデバイス自身で電源を用意する必要がある。
【０００７】
このため、コードレスのポインティングデバイスにはアルカリ乾電池などを電源として搭載したものがある。
【特許文献１】特開２０００−２３２４２３号公報
【特許文献２】特開２０００−１０５６３１号公報
【特許文献３】特開２００５−１２３１８３号公報
【発明の開示】
【発明が解決しようとする課題】
【０００８】
しかし、このように乾電池を電源とするものは、乾電池の容量が少なくなると電池交換が必要となり、予備として用意しておく乾電池の費用などコストがかかり、また、これら予備の乾電池を忘れると、ポインティングデバイスそのものが使用できなくなるという問題があった。
【０００９】
そこで、最近になって特許文献１及び特許文献２に開示されるように電源として充電可能な二次電池を用いたものが考えられている。このような二次電池を用いれば、乾電池のような電池交換が必要でなくなるので、コスト的に安価にできるとともに、予備の乾電池を忘れたことによりポインティングデバイスそのものが使用できなくなるような不都合を回避できる。
【００１０】
ところが、二次電池を電源として使用した場合、電池残量が問題となり、仮に残量が少なくなった状態でポインティングデバイスを使用し続けると、ポインティングデバイスからパーソナルコンピュータに送られる無線信号を安定して維持するのが難しくなる。
【００１１】
このため、二次電池の電池残量が常に所定値以上を維持できるように、頻繁に二次電池を充電するような工夫が必要であり、例えば充電器を兼ねた置台を用意し、ポインティングデバイスを使用しないときは、ポインティングデバイスを置台に載置することで二次電池を充電するようなことが考えられる。
【００１２】
しかし、例えば、ＣＡＤでの使用、ＤＲＡＷソフトなどによるデザイン作業での使用、ゲームでの使用など、ポインティングデバイスの使用頻度が高く連続して使用するような用途の場合、ポインティングデバイスを置台に載置する機会が少なくなって電池切れを招くことがある。電池切れをした場合は、一般に用いられる例えばニッケル水素蓄電池の場合で、普通充電で１２時間程度、急速充電で２〜３時間の充電時間が必要になるため、この間、ポインティングデバイスの使用ができなくなる。
【００１３】
そこで、ポインティングデバイスを長時間連続して使用できるようにするため、容量の大きな二次電池を搭載することが考えられる。しかし、このような大容量の二次電池は、それ自体大きなものであるため、このような二次電池をポインティングデバイス内に組み込めば、ポインティングデバイス全体が大型で重量も大きなものになり、使い勝手の極めて悪いものになってしまう。
【００１４】
一方、ポインティングデバイスの二次電池の充電に用いられる充電器を兼ねた置台は、ポインティングデバイスからの無線信号を受信する受信機を内蔵したものがある。このような置台は、パーソナルコンピュータとの接続にＵＳＢを使用しており、充電器によるポインティングデバイスの充電は、ＵＳＢからの給電を利用して行うようにしている。ところが、ＵＳＢの許容電流は、規格により最大５００ｍＡ程度までであり、このため、ポインティングデバイスの充電に、これ以上の電流を要求される場合は、使用することができない。
【００１５】
本発明は上記事情に鑑みてなされたもので、安定したポインティング動作が可能で、しかも小型軽量化とコスト低減を図ることができるコードレスポインティングデバイスを提供することを目的とする。
【課題を解決するための手段】
【００１６】
請求項１記載の発明は、コンピュータのディスプレイ上でポインタを移動させるための位置情報を出力するとともに、該位置情報を無線信号に変換し前記コンピュータに送信可能にしたポインティングデバイス本体と、前記ポインティングデバイス本体内部に設けられ、該ポインティングデバイス本体の電源として用いられる１０Ｃ以上の電流で急速充電可能な充電式電池と、を具備したことを特徴としている。
【００１７】
請求項２記載の発明は、請求項１記載の発明において、さらに充電手段を有し、該充電手段は、前記ポインティングデバイス本体に電気的に接続可能で、該接続状態で前記充電式電池を充電する充電部を有することを特徴としている。
【００１８】
請求項３記載の発明は、請求項２記載の発明において、前記充電手段は、前記コンピュータの充電に用いられる充電手段を兼ねることを特徴としている。
【００１９】
請求項４記載の発明は、請求項１記載の発明において、前記コードレスポインティングデバイス本体は、前記充電式電池の電池残量を表示する電池残量表示手段を有することを特徴としている。
【００２０】
請求項５記載の発明は、請求項１記載の発明において、さらに前記充電式電池の過充電、過放電及び過電流の少なくとも一つを検出し、前記充電式電池の充電又は放電を停止させる監視保護手段を有することを特徴としている。
【発明の効果】
【００２１】
本発明によれば、安定したポインティング動作が可能で、しかも小型軽量化とコスト低減を図ることができるコードレスポインティングデバイスを提供できる。
【発明を実施するための最良の形態】
【００２２】
以下、本発明の実施の形態を図面に従い説明する。
【００２３】
（第１の実施の形態）
図１（ａ）（ｂ）は、本発明の第１の実施の形態に適用されコードレスマウスの概略構成を示すものである。
【００２４】
図１において、１はマウス本体で、このマウス本体１は、底面に位置特定用の光源(不図示)を有し、マウス本体１のスライド操作にともなう移動方向及び移動量を光学的に検知して不図示のパーソナルコンピュータのディスプレイ上のポインタを移動させるための位置情報を出力する。また、マウス本体１の上面前方には、クリックボタン２ａ、２ｂが設けられている。これらクリックボタン２ａ、２ｂは、ユーザの指先により押し操作されるもので、前記ディスプレイ上のポインタにより指示された領域のクリックやドラッグなどを指示する。また、クリックボタン２ａ、２ｂの間には、ホイール３が回転可能に設けられている。ホイール３は、その回転操作により前記ディスプレイ上の画面のスクロールを指示する。
【００２５】
マウス本体１の後側端部には、ＡＣアダプタ接続端子４が設けられている。このＡＣアダプタ接続端子４は、穴部内に配置される筒状の正側電極４ａと、この正側電極４ａの中心軸上に配置される棒状の負側電極４ｂを有するもので、後述する充電手段としてのＡＣアダプタ１５のプラグ１９が電気的に接続される。なお、ＡＣアダプタ接続端子４は、マウス本体１の側面や底面などにあってもよいし、正側電極４ａの穴部に蓋が付いたものでも構わない。
【００２６】
マウス本体１の側面には、電池残量表示部５が設けられている。この電池残量表示部５は、後述する充電式電池１１の放電状態を表示するもので、電池残量が所定値以上で発光体を点灯し、電池残量が所定値より低下すると点滅する。ここでの発光体としては、例えばＬＥＤが用いられる。この場合、例えば、充電残量が所定値以上のときは青色のＬＥＤ、電池残量が所定値より低下すると赤色のＬＥＤをそれぞれ点灯するようにしても良い。
【００２７】
図２は、このように構成されたコードレスマウスの回路構成を示している。なお、図２は、上述した図１と同一部分には同符号を付している。
【００２８】
図２において、１１は充電式電池で、この充電式電池１１は、前記マウス本体１内部に設けられている。充電式電池１１には、急速充電が可能なリチウムイオン二次電池が用いられる。リチウムイオン二次電池は、アルミニウムラミネートフィルムからなる外装部材による容器と、この容器内に収容された非水電解質と、前記容器内に収納されアルミニウム箔よりなる正極集電体にリチウムコバルト酸化物を正極作用物質として含む正極層が担持された正極と、前記容器内に収納されアルミニウム箔よりなる負極集電体に平均粒子径が１μｍ以下の粒度分布を有するチタン酸リチウムを負極活物質粒子として含む負極層が担持された負極とを備えた構造を有している。
【００２９】
ここで、リチウムイオン二次電池についてさらに詳細に説明する。かかる、リチウムイオン二次電池は、リチウムチタン酸化物を活物質として含む負極を備えている。活物質であるリチウムチタン酸化物は、特許文献３に開示される通り、リチウムを吸蔵・放出可能な材料であり、リチウムイオンの挿入・離脱が１．４Ｖから１．７Ｖ／Ｌｉ付近で行われる。このため、この二次電池は大電流での急速充電を行っても、従来の負極活物質に炭素材料を用いた場合と比べてリチウムの析出が起こらずに安全性を確保できる。また、リチウムの吸蔵放出に伴う膨張収縮が生じるのを抑制することができるため、２０Ｃ電流の急速充電を繰り返し行った際にも負極活物質の構造破壊を抑えることができる。その結果、充放電を繰り返し行った場合においても長い寿命を維持できる。電池の電位としては２．４Ｖ程度であることから、従来のニッケル水素蓄電池やニッケルカドミウム蓄電池の２本直列分に相当するため、使用本数で５０％の減量化が達成できる。
【００３０】
具体的には、以下のような方法で組み立てたリチウムイオン二次電池は２０Ｃで３分間充電することにより約８０％電池容量まで充電することが可能な急速充電二次電池であることが確認されている。ここで、『Ｃ』は充放電率を表す単位であり、完全放電から完全充電（または完全充電から完全放電）までを定電流充電した場合に計算上１時間で行えるレートを１Ｃとして表現する。１／１０時間の場合、１０Ｃと表現する。したがって、例えば２０Ｃ充電とは、１Ｃ充電の２０倍の電流が必要になる。
【００３１】
＜負極の作製＞
活物質として、平均粒子径５μｍでＬｉ吸蔵電位が１．５５Ｖ(ｖｓ．Ｌｉ／Ｌｉ+)のチタン酸リチウム（Ｌｉ4Ｔｉ5Ｏ12）粉末と、導電剤として平均粒子径０．４μｍの炭素粉末と、結着剤としてポリフッ化ビニリデン（ＰＶｄＦ）とを重量比で９０：７：３となるように配合し、これらをｎ−メチルピロリドン（ＮＭＰ）溶媒に分散してスラリーを調製した。
【００３２】
なお、活物質の粒子径の測定には、レーザー回折式粒度分布測定装置（島津製作所株式会社  型番ＳＡＬＤ−３００）を用いた。まず、ビーカー等に試料約０．１ｇを入れた後、界面活性剤と１〜２ｍＬの蒸留水を添加して十分に攪拌し、攪拌水槽に注入した。２秒間隔で、６４回光強度分布を測定し、粒度分布データを解析し、累積度数分布が５０％の粒径（Ｄ５０）を平均粒子径とした。
【００３３】
次いで、厚さ１０μｍのアルミニウム箔（純度９９．９９％）を負極集電体に前記スラリーを塗布し、乾燥した後、プレスを施すことにより電極密度２．４ｇ／ｃｍ3の負極を作製した。
【００３４】
＜正極の作製＞
活物質としてリチウムコバルト酸化物（ＬｉＣｏＯ2）と、導電材として黒鉛粉末と、結着剤としてポリフッ化ビニリデン（ＰＶｄＦ）とを重量比で８７：８：５となるように配合し、これらをｎ−メチルピロリドン（ＮＭＰ）溶媒に分散させてスラリーを調製した。厚さ１５μｍのアルミニウム箔（純度９９．９９％）にスラリーを塗布し、乾燥した後、プレスすることにより電極密度３．５ｇ／ｃｍ3の正極を作製した。
【００３５】
＜二次電池の組み立て＞
容器（外装部材）の形成材料として、厚さが０．１ｍｍのアルミニウム含有ラミネートフィルムを用意した。このアルミニウム含有ラミネートフィルムのアルミニウム層は、膜厚約０．０３ｍｍであった。アルミニウム層を補強する樹脂には、ポリプロピレンを使用した。このラミネートフィルムを熱融着で貼り合わせることにより、容器（外装部材）を得、さらに金属アルミニウムの容器に収めた。
【００３６】
次いで、前記正極に正極端子を電気的に接続すると共に、前記負極に負極端子を電気的に接続した。厚さ１２μｍのポリエチレン製多孔質フィルムからなるセパレータを正極に密着させて被覆した。セパレータで被覆された正極に負極を対向するように重ね、これらを渦巻状に捲回して電極群を作製した。この電極群をプレスして扁平状に成形した。容器（外装部材）に扁平状に成形した電極群を挿入した。
【００３７】
エチレンカーボネート（ＥＣ）とγ−ブチルラクトン（ＧＢＬ）が体積比（ＥＣ：ＧＢＬ）で１：２の割合で混合された有機溶媒にリチウム塩であるＬｉＢＦ4を１．５ｍｏｌ／Ｌ溶解させ、液状の非水電解質を調製した。得られた非水電解質を前記容器内に注液し、リチウム二次電池を組み立てた。このようなリチウム二次電池は、満充電時電圧２．８Ｖ、放電終止電圧１．５Ｖで使用することができる。
【００３８】
この実施の形態では、前記充電式電池１１として、１０Ｃ以上の電流で急速充電可能なリチウムイオン二次電池が使用される。勿論、かかる充電式電池１１は、上述した２０Ｃで３分間充電することにより約８０％電池容量まで充電可能なものである。
【００３９】
このような充電式電池１１には、制御手段としての制御部１２が接続されている。制御部１２には、前記クリックボタン２ａ（２ｂ）、電池残量表示部５が接続され、さらに通信部１３が接続されている。また、制御部１２は、電池残量監視手段１２１、位置情報検出手段１２２を有している。電池残量監視手段１２１は、前記充電式電池１１の放電状態を監視し、電池残量が所定値以上で電池残量表示部５の発光体を点灯し、電池残量が所定値より低下すると発光体を点滅させる。位置情報検出手段１２２は、前記マウス本体１底面に回転自在に支持されたボール（不図示）の移動方向及び移動量に応じた位置情報を検出する。
【００４０】
さらに、制御部１２は、位置情報検出手段１２２で検出した位置情報を、クリックボタン２ａ（２ｂ）及びホイール３の操作情報などとともに通信部１３で無線信号に変換し、不図示のパーソナルコンピュータに送信させる。
【００４１】
充電式電池１１には、監視保護手段として監視保護回路１４が設けられている。この監視保護回路１４は、充電式電池１１の状態を監視するもので、かかる監視結果に応じて不図示のスイッチを駆動して充電式電池１１の充放電を停止させる。この場合、監視保護回路１４は、充電式電池１１の過充電、過放電及び過電流を監視する。そして、充電式電池１１の充電電圧が所定値の範囲では、充電式電池１１の充放電を許容し、充電式電池１１の充電電圧が所定値以上になると過充電と判断し前記スイッチ（不図示）を開放して充電式電池１１の充電を停止させ、また、充電式電池１１の充電電圧が所定値以下になると過放電と判断し前記スイッチ（不図示）を開放して充電式電池１１の放電を停止させる。さらに充電式電池１１の放電電流が所定値以上になると、過電流と判断し前記スイッチ（不図示）を開放して充電式電池１１の放電を停止させる。これにより、充電式電池１１が過充電状態になって電解液の分解によりガスが発生し、電池内部の圧力が上昇して漏液するのを防止し、また、充電式電池１１が過放電状態になって負極の集電体の銅が電解液で溶解し電池性能を劣化させるのを防止する。このような監視保護回路１４は、モジュール化され、前記充電式電池１１内部に一体に組み込まれるものが用いられる。  
なお、監視保護回路１４は、充電式電池１１の過充電、過放電及び過電流の少なくとも一つを監視するものであっても良い。
【００４２】
充電式電池１１には、前記ＡＣアダプタ接続端子４が接続されている。この場合、ＡＣアダプタ接続端子４の正側電極４ａに充電式電池１１の正極端子、負側電極４ｂに充電式電池１１の負極端子が接続されている。
【００４３】
マウス本体１のＡＣアダプタ接続端子４には、ＡＣアダプタ１５が接続可能になっている。ＡＣアダプタ１５は、充電手段として充電部１６とＡＣ／ＤＣコンバータ１７を有している。充電部１６は、ＡＣ／ＤＣコンバータ１７より出力される直流電力により前記充電式電池１１を満充電まで充電する。ＡＣ／ＤＣコンバータ１７は、交流電力を直流電力に変換するもので、ここでは、電源コード１８を介して供給される１００Ｖの商用電源から３Ｖ程度の直流電圧を発生する。
【００４４】
ＡＣアダプタ１５には、図３に示すように前記マウス本体１のＡＣアダプタ接続端子４に対応するプラグ１９が接続されている。このプラグ１９は、筒状の正側電極１９ａと、この正側電極１９ａの中心軸上に絶縁体を介して配置される筒状の負側電極１９ｂを有するもので、これら正側電極１９ａ及び負側電極１９ｂを前記充電部１６の正負出力端子に接続されている。そして、前記正側電極１９ａを前記ＡＣアダプタ接続端子４の筒状をした正側電極４ａ内に挿入し、同時に前記筒状の正側電極１９ａ内に前記棒状をした負側電極４ｂを挿入することで、充電部１６をマウス本体１の充電式電池１１に電気的に接続する。
【００４５】
おな、ＡＣアダプタ１５は、充電式電池１１の充電用として専用のものを用意しても良いが、例えば、ノート型のパーソナルコンピュータを使用する場合には、かかるパーソナルコンピュータの充電に用いるＡＣアダプタを流用することもできる。このようにすれば、必要とする付属品を最小限にできるので、パーソナルコンピュータを持ち運びする際も荷物が増えることがなくなり使い勝手が良くなる。
【００４６】
次に、このように構成した実施の形態の作用を説明する。
【００４７】
この場合、マウス本体１のＡＣアダプタ接続端子４にＡＣアダプタ１５のプラグ１９を差し込み、充電部１６により充電式電池１１を満充電まで充電する。ユーザは、電池残量表示部５の発光体が連続点灯していることで充電式電池１１が満充電になっていることを確認する。充電式電池１１の満充電を確認したらＡＣアダプタ１５のプラグ１９をマウス本体１のＡＣアダプタ接続端子４から切り離す。
【００４８】
この状態で、図示しないパーソナルコンピュータのコードレスマウスとして使用される。この場合、制御部１２の位置情報検出手段１２２は、マウス本体１底面に設けられた位置特定用の光源(不図示)の、マウス本体１のスライド操作にともなう移動方向及び移動量を光学的に検出する。そして、この位置情報検出手段１２２で検出した位置情報は、クリックボタン２ａ（２ｂ）及びホイール３の操作情報などとともに通信部１３で無線信号に変換され、不図示のパーソナルコンピュータに送信される。
【００４９】
また、電池残量監視手段１２１は、充電式電池１１の電池残量を監視する。そして、電池残量が所定値より低下すると、電池残量表示部５の発光体を点滅させる。ユーザは、電池残量表示部５の表示を確認すると、ＡＣアダプタ１５のプラグ１９をマウス本体１のＡＣアダプタ接続端子４に差し込んで再び充電式電池１１を満充電まで充電し、次の使用に備える。
【００５０】
したがって、このようにすれば、コードレスマウスの電源として充電式電池１１を使用し、また、マウス本体１に充電部１６を有するＡＣアダプタ１５を接続可能とし、充電部１６により充電式電池１１を満充電まで充電し、次の使用を可能にした。また、組み込まれる充電式電池１１として１０Ｃ以上の電流で急速充電できるリチウムイオン二次電池が用いられことも特徴としている。これにより、充電式電池１１は短時間の急速充電が可能で、しかもＡＣアダプタ１５を接続するだけで充電式電池１１を繰り返し充電ができるので、マウスの使用頻度が高く連続して使用されるような用途の場合も、マウスの使用を長時間中断することなく安定した動作を実現することができる。
【００５１】
ＡＣアダプタ１５に、ノート型のパーソナルコンピュータの充電に用いるＡＣアダプタを流用すれば、必要とする付属品を最小限にでき、パーソナルコンピュータを持ち運びする際も荷物が増えることがなくなる。つまり、マウスのための専用のＡＣアダプタ１５を用いたのでは、ノート型のパーソナルコンピュータを持ち運ぶ際に、２個のＡＣアダプタを持ち運ばなければならないが、それに比べると非常に使い勝手を改善できる。
【００５２】
充電式電池１１の充電を頻繁に行うことができるので、電池容量の小さな充電式電池１１を使用することが可能で、マウス本体１の小型軽量化とともにコスト低減につなげることができる。これらのことは、急速充電が可能な充電式電池１１を使用することによって実現できることである。
【００５３】
充電式電池１１を使用することによりマウス本体１をコードレスに構成できるので、マウスの動きに制約を与えるなどの操作の妨げを排除することができる。
【００５４】
マウス本体１には、充電式電池１１の放電状態を表示する電池残量表示部５が設けられ、マウスを使用しながら充電式電池１１の放電状態を一目で確認することができるので、充電式電池１１の電池残量がゼロになって使用不能になるようなことを未然に回避できる。
【００５５】
なお、本発明は、上記実施の形態に限定されるものでなく、実施段階では、その要旨を変更しない範囲で種々変形することが可能である。例えば、上述した実施の形態では、コードレスのポインティングデバイスとしてコードレスマウスについて述べたが、コードレスのトラックボールにも適用することができる。
【００５６】
その他、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５７】
【図１】本発明の第１の実施の形態のコードレスマウスの概略構成を示す図。
【図２】第１の実施の形態のコードレスマウスの回路構成を示す図。
【図３】第１の実施の形態のコードレスマウスに接続されるＡＣアダプタの概略構成を示す図。
【符号の説明】
【００５８】
１…マウス本体、２ａ．２ｂ…クリックボタン
３…ホイール、４…ＡＣアダプタ接続端子
４ａ…正側電極、４ｂ…負側電極
５…電池残量表示部、１１…充電式電池
１２…制御部、１２１…電池残量監視手段
１２２…位置情報検出手段、１３…通信部
１４…監視保護回路、１５…ＡＣアダプタ
１６…充電部、１７…ＡＣ／ＤＣコンバータ
１８…電源コード、１９…プラグ
１９ａ…正側電極、１９ｂ…負側電極
【図１】
2008015693.tif 000003
【図２】
2008015693.tif 000004
【図３】
2008015693.tif 000005